(57)【特許請求の範囲】
【請求項１】
可撓性を有する輸液チューブと、
該輸液チューブの先端に、輸液チューブより大径の針基を介して接続された注射針と、
前記輸液チューブにその長手方向に沿って移動自在に外挿され、前記注射針の針基を係止する係止部が後端内部に形成されていると共に前記注射針をその全長に亘って収納する筒状の針収納筒と、
前記輸液チューブに固設され、前記注射針が前記針収納筒内から露出する位置において該針収納筒を係脱自在に係止する係止部材と、
前記輸液チューブに固設され、前記注射針が内部に収納された状態の前記針収納筒の先端部を挿着し連結する円筒状の挿着部を有して、針収納筒を閉塞状態で保持する挿着保持部材とを備えることを特徴とする医療用輸液装置。
【請求項２】
前記針収納筒の先端部には、内周壁に螺条が形成されたロック筒が外挿され、
前記挿着保持部材の挿着部には、前記ロック筒の螺条に螺合する凸縁が形成されていることを特徴とする請求項１記載の医療用輸液装置。
【発明の詳細な説明】
【０００１】
【発明の属する技術分野】
本発明は、点滴や輸血等に使用される医療用輸液装置に関する。
【０００２】
【従来の技術】
従来、点滴や輸血等の医療行為において使用されるこの種の医療用輸液装置として、点滴筒及び滴数調整のためのクレンメ等を備える輸液チューブと、該輸液チューブの先端に接続された注射針とを備えるものが知られている。
【０００３】
この種の輸液装置を使用するときには、輸液チューブの基端部を薬液パックや血液パック等に接続し、注射針を患者の血管に穿刺し留置する。そして、点滴が終了して使用済みとなった輸液装置は患者から取り外された後に輸液チューブごと廃棄される。
【０００４】
しかし、前記輸液チューブが比較的長いために廃棄時の取り扱いが煩雑になりやすく、このときに患者から取り外された注射針が露出状態にあると、該注射針が廃棄処理を行う者に接触するおそれがあり、衛生上好ましくない不都合があった。
【０００５】
【発明が解決しようとする課題】
かかる不都合を解消して、本発明は、使用済みの注射針への接触を確実に防止して衛生的に廃棄処理を行うことができる医療用輸液装置を提供することを目的とする。
【０００６】
【課題を解決するための手段】
かかる目的を達成するために、本発明は、可撓性を有する輸液チューブと、該輸液チューブの先端に、輸液チューブより大径の針基を介して接続された注射針と、前記輸液チューブにその長手方向に沿って移動自在に外挿され、前記輸液チューブにその長手方向に沿って移動自在に外挿され、前記注射針の針基を係止する係止部が後端内部に形成されていると共に前記注射針をその全長に亘って収納する筒状の針収納筒と、前記輸液チューブに固設され、前記注射針が前記針収納筒内から露出する位置において該針収納筒を係脱自在に係止する係止部材と、前記輸液チューブに固設され、前記注射針が内部に収納された状態の前記針収納筒の先端部を挿着し連結する円筒状の挿着部を有して、針収納筒を閉塞状態で保持する挿着保持部材とを備えることを特徴とする。
【０００７】
前記注射針を患者に穿刺するときには、前記針収納筒を前記係止部材に係止する。これにより、注射針の露出状態が維持され、針収納筒が輸液チューブに沿って移動することがないので、針収納筒が邪魔になることなく注射針の患者への穿刺作業を円滑に行うことができる。
【０００８】
また、患者への輸液或いは輸血が終了し、患者から前記注射針を抜き取った際には、先ず、前記係止部材による針収納筒の係止を解除して、該針収納筒を輸液チューブに沿って移動可能な状態とする。次いで、針収納筒を輸液チューブの先端側の注射針に向かって移動させ、針収納筒の内部に注射針を収納する。このとき、針収納筒は注射針の針基を係止部により係止するので、針収納筒の内部への注射針の収納状態が維持される。
【０００９】
そして、輸液チューブを前記挿着保持部材に向かって環状に撓ませて、内部に注射針を収納した針収納筒の先端部を、前記挿着保持部材の挿着部に挿着する。これにより、開口状態にあった針収納筒の先端部が挿着部への挿着により閉塞され、外部からの注射針への接触を確実に防止することができ、廃棄処理を容易且つ衛生的に行うことができる。
【００１０】
また、本発明において、前記針収納筒の先端部には、内周壁に螺条が形成されたロック筒が外挿され、前記挿着保持部材の挿着部には、前記ロック筒の螺条に螺合する凸縁が形成されていることを特徴とする。
【００１１】
本発明によれば、前記注射針が収納された状態の針収納筒を前記挿着保持部材の挿着部に挿着するときに、針収納筒に設けられたロック筒を挿着部に当接して回転させる。これにより、ロック筒の螺条に挿着部の凸縁が螺合して、針収納筒の挿着部への挿着状態を強固とすることができ、針収納筒の内部に封入された注射針への接触を確実に防止することができる。
【００１２】
【発明の実施の形態】
本発明の一実施形態を図面に基づいて説明する。図１は本実施形態の輸液装置の説明的平面図、図２は係止部材及び針収納筒の説明的断面図、図３は針収納筒と挿着保持部材との連結状態を示す説明的断面図、図４は他の実施形態を示す説明的断面図である。
【００１３】
本実施形態の医療用輸液装置１は、患者への薬液の持続輸液或いは輸血を行う際に使用されるものであり、図１に示すように、透明な合成樹脂製の可撓性を有する輸液チューブ２と、該輸液チューブ２の先端に設けられた注射針３とにより構成されている。該注射針３は、穿刺針３ａと針基３ｂとによって構成され、該針基３ｂを介して輸液チューブ２に分離不能に連設されている。
【００１４】
前記輸液チューブ２には、その上流端から下流端に向かって順に、図示しない薬液パックの栓体に刺通して該薬液パックの薬液を輸液チューブ２に導出する導出針４と、薬液を滴下させる点滴筒５と、該点滴筒５の滴数調整を行うクレンメ６とが接続されている。また、該クレンメ６の下流側には順に、挿着保持部材７と、係止部材８と、針収納筒９とが設けられている。
【００１５】
該挿着保持部材７は、図１及び図３に示すように、輸液チューブ２の外壁に固着されており、輸液チューブ２に沿って外挿された円筒状の基部１０と、該基部１０から外側に向かって一体に突設された円筒状の挿着部１１とによって構成されている。該挿着部１１は、後述する針収納筒９の先端部を挿着するものであり、その先端外周には一対の凸縁１２が形成されている。
【００１６】
前記係止部材８は、図１及び図２に示すように、輸液チューブ２の外壁に固着されており、輸液チューブ２に沿って外挿された環状の基部１３と、該基部１３の外壁から下方に一体に延設された一対の係止爪１４とによって構成されている。
【００１７】
前記針収納筒９は、図１及び図２に示すように、前記係止部材８から輸液チューブ２の先端に向かって移動自在に設けられた円筒状の本体１５と、該本体１５の先端部に回転自在に設けられたロック筒１６とによって構成されている。図２に示すように、該本体１５の先端部の外周壁はルアーテーパ状に先端に向かって縮径されており、前記挿着部１１に挿着可能に形成されている。また、該本体１５の後端内部には内方に突出して前記注射針３の針基３ｂを係止する係止部１５ａが形成されており、同時に係止部１５ａによって輸液チューブ２が挿通する挿通孔１７が形成されている。更に、図１に示すように、該本体１５の後端部の外周壁には、前記係止部材８の係止爪１４が係合する係止凹溝１８が形成されている。前記ロック筒１６は、図２に示すように、その内壁に螺条１９が形成されており、該螺条１９は前記挿着保持部材７の挿着部１１に形成された凸縁１２と螺合する。また、該針収納筒９の本体１５の内部には前記注射針３がその全長に亘って収納自在とされている。
【００１８】
そして、図１に示すように、前記係止部材８は、その係止爪１４によって前記係止凹溝１８を介して針収納筒９を係止し、針収納筒９が輸液チューブ２に沿って移動しないように保持する。更に該係止部材８は、針収納筒９を係止したときに注射針３が全長に亘って露出する位置に設けられている。これにより、患者に注射針３を穿刺する際に、針収納筒９が移動して穿刺作業の邪魔にならないようにしている。
【００１９】
次に、以上の構成による本実施形態の輸液装置１の廃棄処理時の取り扱いを説明する。患者への穿刺作業及び輸液中は、図１に示したように針収納筒９は係止部材８によって係止され、移動が阻止された状態にある。そして、輸液が終了して注射針３を患者から抜き取ったとき、先ず、図２（或いは図１の仮想線）に示すように、係止部材８による針収納筒９の係止を解除し、該針収納筒９を輸液チューブ２の先端に移動させる。これにより、注射針３はその針基３ｂが針収納筒９の後端内部の係止部１５ａに係止され、抜け止めされて該針収納筒９の内部に収納される。次いで、図３に示すように、輸液チューブ２を環状に撓ませ、針収納筒９の先端部を前記挿着保持部材７の挿着部１１に挿着する。これによって、針収納筒９の開口状態にあった先端が閉塞され、該針収納筒９の内部に注射針３が封入される。そして、針収納筒９の先端部に設けられたロック筒１６を回転させ、該ロック筒１６の螺条１９を前記挿着部１１の凸縁１２に螺着させる。これによって、該針収納筒９の挿着部１１への挿着状態が強固に維持され、廃棄処理を行う者は注射針３に接触することが全くなく、衛生的に廃棄することができる。
【００２０】
なお、本実施形態においては、前記挿着保持部材７と前記係止部材８とを別体に設けたが、両者共に輸液チューブ２に固設されていることから、例えば、図示しないが、挿着保持部材７の基部１０の下端部に係止部材８を一体に形成し、穿刺作業時には挿着保持部材７の基部１０の下端部に針収納筒９を係止するようにしてもよい。
【００２１】
また、本実施形態においては、前記挿着保持部材７として円筒状の基部１０と該基部１０から外方に延設された円筒状の挿着部１１とによって構成されたものを採用したが、本発明における挿着保持部材はこれに限るものではない。例えば、図４（ａ）に示すように、輸液チューブ２に液流路を分岐させる所謂三方活栓２０等が設けられている場合には、該三方活栓２０の分岐路の一つを挿着部２１とし、該挿着部２１の先端に設けられた凸縁２２を介して、図４（ｂ）に示すように、前記針収納筒９のロック筒１６により針収納筒９を連結してもよい。
【００２２】
また、本実施形態においては、挿着保持部材７の挿着部１１への針収納筒９の挿着状態を強固に維持するためにロック筒１６の螺条１９と凸縁１２との螺合を採用したが、ロック筒１６を設けずに針収納筒９を挿着部１１に挿着するだけでも十分に注射針３の封入状態を維持することができることは言うまでもない。
【図面の簡単な説明】
【図１】本発明の一実施形態の輸液装置の説明的平面図。
【図２】係止部材及び針収納筒の説明的断面図。
【図３】針収納筒と挿着保持部材との連結状態を示す説明的断面図。
【図４】他の実施形態を示す説明的断面図。
【符号の説明】
１…医療用輸液装置、２…輸液チューブ、３…注射針、３ａ…穿刺針、３ｂ…基部、８…係止部材、９…針収納筒、７，２０…挿着保持部材、１１，２１…挿着部、１５ａ…係止部、１２，２２…凸縁、１６…ロック筒、１９…螺条。
【図１】
0004129319.tif 000002
【図２】
0004129319.tif 000003
【図３】
0004129319.tif 000004
【図４】
0004129319.tif 000005